(57)【要約】光伝送媒体に接続されるように構成される光通信モジュール用のモジュラ型装置である。モジュラ型装置は、第一端及び第二端、並びに第一端と第二端との間においてＮ個の電気回路チャネルを備えていてもよい。各電気回路チャネルは、光伝送媒体を介して光信号を伝達するための機能性を提供するように構成される少なくとも一つの構成要素を備えていてもよい。また、モジュラ型装置は、Ｃ＝Ｐ／Ｎであり、Ｃが零より大きい整数である場合に、Ｃ個のモジュラ型装置におけるＮ個の電気回路チャネルのそれぞれが、光伝送媒体に接続されるように構成される光−電気インタフェースのＰ個のインタフェースチャネルのうち１個と整列するように、第一端と第二端との間に幅を有していてもよい。
2015508585.tif 000002
【特許請求の範囲】
【請求項１】
光伝送媒体に接続されるように構成される光通信モジュール用のモジュラ型装置であって、
第一端及び第二端と、
前記第一端と前記第二端との間においてＮ個の電気回路チャネルと
を備え、前記各電気回路チャネルは、前記光伝送媒体を介して光信号を伝達するための機能性を提供するように構成される少なくとも一つの構成要素を備え、
Ｃ＝Ｐ／Ｎであり、前記Ｃが零より大きい整数である場合に、前記Ｃ個の前記モジュラ型装置における前記Ｎ個の電気回路チャネルのそれぞれが、前記光伝送媒体に接続されるように構成される光−電気インタフェースの前記Ｐ個のインタフェースチャネルのうち１個と整列するように、前記第一端と前記第二端との間に幅を有するモジュラ型装置。
【請求項２】
前記Ｃが１より大きい場合には、前記Ｃ個のモジュラ型装置は、前記Ｃ個のモジュラ型装置のうち１個の前記第一端が前記Ｃ個のモジュラ型装置のうち他の１個の前記第二端に隣接して配置される請求項１に記載のモジュラ型装置。
【請求項３】
前記Ｎ個の電気回路チャネルのそれぞれは、前記光−電気インタフェースの前記インタフェースチャネル間の距離より短い幅を前記第一端と前記第二端との間に有する請求項１に記載のモジュラ型装置。
【請求項４】
前記Ｎ個の電気回路チャネルのそれぞれの前記幅は、２５０μｍより短い請求項３に記載のモジュラ型装置。
【請求項５】
前記モジュラ型装置の外周にシールリングをさらに備え、前記Ｎ個の電気回路チャネル及び前記シールリングを含む前記第一端と前記第二端との間における前記モジュラ型装置の幅は、Ｐ＝Ｎである場合の前記光−電気インタフェースの幅にほぼ等しい請求項１に記載のモジュラ型装置。
【請求項６】
Ｎ＝４であって、Ｃ＝２かつＰ＝８，Ｃ＝３かつＰ＝１２，もしくはＣ＝４かつＰ＝１６である請求項１に記載のモジュラ型装置。
【請求項７】
前記Ｎ個の電気回路チャネルのそれぞれにおける前記少なくとも一つの構成要素は、前記光信号を受信するための機能性を提供するように構成される請求項１に記載のモジュラ型装置。
【請求項８】
前記Ｎ個の電気回路チャネルのそれぞれにおける前記少なくとも一つの構成要素は、トランスインピーダンスアンプである請求項７に記載のモジュラ型装置。
【請求項９】
前記各トランスインピーダンスアンプは、前記光信号を受信するように構成される光−電気変換器に接続されるように構成される請求項８に記載のモジュラ型装置。
【請求項１０】
前記Ｎ個の電気回路チャネルのそれぞれにおける前記少なくとも一つの構成要素は、前記光信号を送信するための機能性を提供するように構成される請求項１に記載のモジュラ型装置。
【請求項１１】
前記Ｎ個の回路チャネルのそれぞれにおける前記少なくとも一つの構成要素は、レーザドライバである請求項１０に記載のモジュラ型装置。
【請求項１２】
前記各レーザドライバは、前記光信号を送信するように構成されるレーザダイオードに接続されるように構成される請求項１１に記載のモジュラ型装置。
【請求項１３】
前記光伝送媒体は、複数の光ファイバを備える光ファイバリボンケーブルである請求項１に記載のモジュラ型装置。
【請求項１４】
モジュラ型装置を備えるとともに、光伝送媒体に接続されるように構成される光通信モジュールの製造方法であって、
Ｃ個の前記モジュラ型装置のそれぞれが第一端及び第二端を備えるとともに、前記第一端と前記第二端との間にＮ個の電気回路チャネルを備え、前記各電気回路チャネルが前記光伝送媒体を介して光信号を伝達するための機能性を提供するように構成される少なくとも一つの構成要素を備えるように、前記Ｃ個のモジュラ型装置を形成する工程と、
Ｐ個のインタフェースチャネルを備えるとともに、前記光伝送媒体に接続されるように構成される光−電気インタフェースに前記Ｃ個のモジュラ型装置を接続し、Ｃ＝Ｐ／Ｎであり、前記Ｃが整数である場合に、前記Ｃ個のモジュラ型装置における前記Ｎ個の電気回路チャネルのそれぞれを前記Ｐ個のインタフェースチャネルのうち１個と整列させる工程と
を含む製造方法。
【請求項１５】
前記Ｃ個のモジュラ型装置のそれぞれに対して、前記Ｎ個の電気回路チャネルの周囲にシールリングを形成する工程をさらに含む請求項１４に記載の製造方法。
【請求項１６】
前記Ｎ個の電気回路チャネル及び前記シールリングを含む前記第一端と前記第二端との間における前記モジュラ型装置の幅は、Ｐ＝Ｎである場合の前記光−電気インタフェースの幅にほぼ等しい請求項１５に記載の製造方法。
【請求項１７】
Ｎ＝４であって、Ｃ＝２かつＰ＝８，Ｃ＝３かつＰ＝１２，もしくはＣ＝４かつＰ＝１６である請求項１４に記載の製造方法。
【請求項１８】
前記Ｃが１より大きい場合に、前記Ｃ個のモジュラ型装置のうち１個の前記第一端が前記Ｃ個のモジュラ型装置のうち他の１個の前記第二端に隣接するように、前記Ｃ個のモジュラ型装置を配置する工程をさらに含む請求項１４に記載の製造方法。
【請求項１９】
前記Ｎ個の電気回路チャネルのそれぞれは、前記光−電気インタフェースの前記インタフェースチャネル間の距離より短い幅を前記第一端と前記第二端との間に有する請求項１４に記載の製造方法。
【発明の詳細な説明】
【技術分野】
【０００１】
本発明は、光通信モジュール内の集積回路に関する。
【背景技術】
【０００２】
光ファイバで光信号を送信するために、光通信モジュールが用いられ得る。いくつかの用途において、光ファイバリボンケーブルを形成するために、光ファイバはグループ化され得る。多重光信号を並列して送信するために、光ファイバリボンケーブルが用いられ得る。多重光信号を並列して送信することは、システム間のデータ転送率を増加させ得る。代替的又は付加的に、多重光信号を並列して送信することは、同一又は異なるシステム内の構成部品間に確立される多重の専用通信チャネル用の経路を実現することも可能である。
【発明の概要】
【発明が解決しようとする課題】
【０００３】
データ転送率の増加に応じて、専用通信チャネルはより標準的になり、特に、光ファイバリボンケーブル内の光ファイバの本数も増加し得る。これに伴い、光ファイバリボンケーブルの光ファイバで光信号の送受信の少なくともいずれか一方を行うために用いられ得る光通信モジュールの設計が変更され得る。特に、光ファイバリボンケーブル内の個々の光ファイバに接続する光通信モジュール用の複数のポートも増加し得る。光通信モジュールのポート数の増加は、光通信モジュールにおいて、多数の異なるフォームファクタ及び構成の少なくともいずれか一方を招き得る。
【課題を解決するための手段】
【０００４】
概して、例示の実施形態は、光通信モジュールに関する。特に、いくつかの実施形態は、光通信モジュールに用いられる集積回路に関する。
いくつかの実施形態では、光伝送媒体に接続されるように構成される光通信モジュール用のモジュラ型装置を開示する。モジュラ型装置は、第一端及び第二端、並びに第一端と第二端との間においてＮ個の電気回路チャネルを備えていてもよい。各電気回路チャネルは、光伝送媒体を介して光信号を伝達するための機能性を提供するように構成される少なくとも一つの構成要素を備えていてもよい。また、Ｃ＝Ｐ／Ｎであり、Ｃが零より大きい整数である場合に、Ｃ個のモジュラ型装置におけるＮ個の電気回路チャネルのそれぞれが、光伝送媒体に接続されるように構成される光−電気インタフェースのＰ個のインタフェースチャネルのうち１個と整列するように、モジュラ型装置は第一端と第二端との間に幅を有していてもよい。
【０００５】
いくつかの実施形態では、光伝送媒体に接続されるように構成されるとともに、モジュラ型装置を備える光通信モジュールの製造方法を開示する。本方法は、Ｃ個のモジュラ型装置のそれぞれが第一端及び第二端を備えるとともに、第一端と第二端との間にＮ個の電気回路チャネルを備えるように、Ｃ個のモジュラ型装置を形成する工程を含んでいてもよい。各電気回路チャネルは、光伝送媒体を介して光信号を伝達するための機能性を提供するように構成される少なくとも一つの構成要素を備えていてもよい。また、本方法は、光−電気インタフェースがＰ個のインタフェースチャネルを備えるとともに、光伝送媒体に接続されるように構成されるように、Ｃ個のモジュラ型装置を光−電気インタフェースに接続する工程を含んでいてもよい。Ｃ＝Ｐ／Ｎであり、Ｃが零より大きい整数である場合に、Ｃ個のモジュラ型装置におけるＮ個の電気回路チャネルのそれぞれをＰ個のインタフェースチャネルのうち１個と整列させてもよい。
【０００６】
この課題を解決するための手段は、以下の発明の詳細な説明において詳細に記載する簡略化された形態における思想の抜粋を紹介するために付されている。この課題を解決するための手段は、特許請求の主題の重要な特徴又は必須の特性を特定することを意図するものでもなく、特許請求の主題における範囲の決定の補助として用いられることを意図するものでもない。
【０００７】
本発明における付加的な特徴及び利点は、以下の説明において記載される。もしくは、本発明における付加的な特徴及び利点は、本発明の実施によって知り得る。本発明の特徴及び利点は、従属請求項に特定して示される機器及び組み合わせによって実現され得るとともに、得ることが可能である。本発明におけるこれらの特徴又は他の特徴は、以下の説明又は従属請求項から十分に明りょうになる。もしくは、本発明におけるこれらの特徴又は他の特徴は、本明細書に記載するように本発明を実施することによって知り得る。
【０００８】
本発明のより詳細な説明は、添付図面に示す本発明の実施形態を参照することによって行われる。これらの図面は、本発明のいくつかの実施形態のみを表すため、本発明の範囲を制限するものと判断されないことが理解される。本発明は、添付図面を通じて用いられる追加的な具体構成及び細部構成とともに記載され、説明される。
【図面の簡単な説明】
【０００９】
【図１】光通信システムを示す。
【図２】光通信モジュール内の種々の構成部品の略図を示す。
【図３】光通信モジュール内の種々の構成部品の分解部品配列図を示す。
【図４】別の光通信モジュール内の種々の構成部品の分解部品配列図を示す。
【図５】モジュラ型装置を備える光通信モジュールの例示的な製造方法のフローチャートを示す。
【発明を実施するための形態】
【００１０】
いくつかの実施形態では、光伝送媒体に接続されるように構成される光通信モジュール用のモジュラ型装置を開示する。モジュラ型装置は、第一端及び第二端、並びに第一端と第二端との間においてＮ個の電気回路チャネルを備えていてもよい。いくつかの実施形態では、Ｎ＝４であってもよい。各電気回路チャネルは、光伝送媒体を介して光信号を伝達するための機能性を提供するように構成される少なくとも一つの構成要素を備えていてもよい。たとえば、電気回路チャネルは、光信号を受信するための機能性を提供するように構成されてもよい。これらの実施形態又は他の実施形態では、電気回路チャネルは、トランスインピーダンスアンプを備えていてもよい。別例として、電気回路チャネルは、光信号を送信するための機能性を提供するように構成されてもよい。これらの実施形態又は他の実施形態では、電気回路チャネルは、レーザダイオードを備えていてもよい。各モジュラ型装置は、その装置の外周にリングシールを備えていてもよい。
【００１１】
また、Ｃ個のモジュラ型装置におけるＮ個の電気回路チャネルのそれぞれが、光伝送媒体に接続されるように構成される光−電気インタフェースのＰ個のインタフェースチャネルのうち１個と整列するように、モジュラ型装置は第一端と第二端との間に幅を有していてもよい。これらの実施形態又は他の実施形態では、Ｃが零より大きい整数である場合に、Ｃ＝Ｐ／Ｎであってもよい。このモジュラ型装置の構成は、単一のモジュラ型装置の設計がＮ個のインタフェースチャネル又はＮ個の数倍の個数のインタフェースチャネルを備える光−電気インタフェースで利用されることを可能にする。各種寸法の光−電気インタフェースを有する複数の装置において単一のモジュラ型装置の設計を利用することによって、信頼性の向上、製造費の低減、並びに調査費及び開発費の低減の少なくともいずれか一つが可能である。
【００１２】
たとえば、光伝送媒体は、１２本の光ファイバを有する光ファイバリボンケーブルであってもよく、光−電気インタフェースは、フォトダイオードのような光−電気変換器をそれぞれが有する１２個のインタフェースチャネルを備えていてもよい。これらの実施形態又は他の実施形態では、３個の装置の各電気回路チャネルが、１２個のインタフェースチャネルのうち１個と整列し、光−電気インタフェースの光−電気変換器のうち１個により発生する電気信号を受信するように、同一のモジュラ型装置の設計である３個のモジュラ型装置を整列させてもよい。
【００１３】
いくつかの例示的な実施形態について、添付図面を参照しながら以下に説明する。
図１は、本明細書に記載する少なくともいくつかの実施形態に従って構成される光通信システム１００を示す。光通信システム１００は、光伝送媒体１２０によって接続され得る第一光通信モジュール１１０及び第二光通信モジュール１１２を備えることが可能である。いくつかの実施形態では、光伝送媒体は、１本又は複数本の光ファイバを備えることが可能である。たとえば、光伝送媒体は、光ファイバリボンケーブルを備えていてもよい。電気信号を送受信し、電気信号を光信号に変換し、光信号を電気信号に変換し、光伝送媒体１２０で光信号を送受信するために、光通信システム１００は、第一光通信モジュール１１０及び第二光通信モジュール１１２を用いることが可能である。いくつかの実施形態では、第一光通信モジュール１１０及び第二光通信モジュール１１２は、たとえばＸＦＰ、ＳＦＰ、ＳＦＦ、ＳＦＰ＋等のフォームファクタの光トランシーバであってもよい。いくつかの実施形態では、第一光通信モジュール１１０及び第二光通信モジュール１１２は、たとえばＣＦＰ等のフォームファクタの光応答機であってもよい。
【００１４】
いくつかの実施形態では、第一光通信モジュール１１０は送信機を備えることが可能であり、第二光通信モジュール１１２は受信機を備えることが可能である。代替的に、第一光通信モジュール１１０は受信機を備えることが可能であり、第二光通信モジュール１１２は送信機を備えることが可能である。いくつかの実施形態では、第一光通信モジュール１１０及び第二光通信モジュール１１２は、光伝送媒体１２０内の各光ファイバ用の送信機又は受信機を備えることが可能である。いくつかの実施形態では、第一光通信モジュール１１０及び第二光通信モジュール１１２は、光伝送媒体１２０内の各光ファイバ用に一つ又は複数の送信機及び受信機を備えることが可能である。いくつかの実施形態では、光伝送媒体１２０は、多重モードの光ファイバ又は単一モードの光ファイバを備えることが可能である。
【００１５】
代替的に、いくつかの実施形態では、光通信システム１００は、モジュラ型でなく、すべてが揃ったシステムであってもよい。これらの実施形態では、光通信システム１００は、第一光通信モジュール１１０及び第二光通信モジュール１１２が光伝送媒体１２０から接続解除されるように設計されていなくてもよい。対照的に、いくつかの実施形態では、光通信システム１００は、モジュラ型の構成部品から形成されることが可能である。これらの実施形態では、第一光通信モジュール１１０及び第二光通信モジュール１１２は、光伝送媒体１２０に取り付けられ、光伝送媒体１２０から取り外されるように設計されていてもよい。
【００１６】
図２は、本明細書に記載する少なくともいくつかの実施形態に従って構成される光通信モジュール２００内の種々の構成部品の略図を示す。光通信モジュール２００は、受信インタフェースチャネル２１０、受信電気回路チャネル２２０、送信インタフェースチャネル２３０、及び送信電気回路チャネル２４０のような種々の構成部品を備えることが可能である。いくつかの実施形態では、各チャネル２１０、２２０、２３０、２４０は、個別の構成部品であるモジュラ型チャネルであってもよい。代替的又は付加的に、これらの各チャネル２１０、２２０、２３０、２４０は、単一の構成部品の一部であってもよい。代替的又は付加的に、チャネル２１０、２３０は単一の構成部品の一部であってもよく、チャネル２２０、２４０は他の単一の構成部品の一部であってもよい。
【００１７】
受信インタフェースチャネル２１０は、コネクタ２１２、ポート２１４、及び受信機２１６を備えることが可能である。ポート２１４は、光ファイバ２５２に接続されることが可能である。受信機２１６は、ポート２１４を経由して光ファイバ２５２から光信号を受信することが可能であり、光信号を電気信号に変換することによって、光−電気変換器として作用することが可能である。いくつかの実施形態では、受信機２１６は、フォトダイオードを備えることが可能である。
【００１８】
受信電気回路チャネル２２０は、受信インタフェースチャネル２１０のコネクタ２１２に接続されるコネクタ２２２、並びにリード線２２４及び受信電気回路２２６を備えることが可能である。受信機２１６が光信号を電気信号に変換した後に、受信電気回路２２６へのコネクタ２１２、２２２を介して、受信機２１６は変換により発生する電気信号を送達することが可能である。受信電気回路２２６は、電気信号を調整することが可能であり、状態信号を光通信モジュール２００から送信するためのリード線２２４上に調整後の信号を配置することが可能である。受信電気回路２２６は、フィルタリング、増幅、又は他の信号調整手段によって、電気信号を調整することが可能である。いくつかの実施形態では、受信電気回路２２６は、トランスインピーダンスアンプのような構成要素を備えることが可能である。
【００１９】
送信インタフェースチャネル２３０は、コネクタ２３２、ポート２３４、及び送信機２３６を備えることが可能である。ポート２３４は、光ファイバ２５０に接続されることが可能である。送信機２３６は、光信号を光ファイバ２５０内に放出することによって、電気−光変換器として作用することが可能である。いくつかの実施形態では、送信機２３６は、レーザ、発光ダイオード、レーザダイオード、垂直キャビティ面発光レーザ（ＶＣＳＥＬ：ｖｅｒｔｉｃａｌ  ｃａｖｉｔｙ  ｓｕｒｆａｃｅ−ｅｍｉｔｔｉｎｇ  ｌａｓｅｒ）ダイオード、又は他の光信号生成装置を備えていてもよい。
【００２０】
送信電気回路チャネル２４０は、送信インタフェースチャネル２３０のコネクタ２３２に接続されるコネクタ２４２、並びにリード線２４４及び送信電気回路２４６を備えることが可能である。リード線２４４は、光ファイバ２５０を介して送信される情報を含む電気信号であって、光通信モジュール２００の外部からの電気信号を受信することが可能である。送信電気回路２４６は、受信した電気信号からの情報により光信号を送信機２３６に送信させることによって、受信した電気信号によりコネクタ２３２、２４２を経由して送信機２３６を駆動することが可能である。
【００２１】
いくつかの実施形態では、チャネル２１０、２２０、２３０、２４０は、付加的な回路又は構成部品を備えることが可能である。たとえば、いくつかの実施形態では、チャネル２２０、２４０は、光通信モジュール２００内の制御回路と接続しているリード線を備えていてもよい。いくつかの実施形態では、チャネル２１０、２２０、２３０、２４０のそれぞれのコネクタ２１２、２２２、２３２、２４２は、チャネル２１０、２２０、２３０、２４０の間の接続を確立するように二つ以上のコネクタを備えていてもよい。
【００２２】
さらに、いくつかの実施形態では、光ファイバ２５０、２５２は、個別の光ファイバであってもよい。代替的に、光ファイバ２５０、２５２は、光ファイバリボンケーブルの一部であってもよい。これらの実施形態では、ポート２１４、２３４は、光ファイバリボンケーブル内の光ファイバ２５０、２５２の間隔に応じて離間させることが可能である。
【００２３】
光通信モジュール２００は、付加的又は代替的な回路を備えていてもよいことが理解されるべきである。たとえば、いくつかの実施形態では、光通信モジュール２００は、マルチプレクサ及びデマルチプレクサ、並びに光ファイバ２５０、２５２の多重モードの利用を可能にするのに必要な付加的なハードウエアを備えていてもよい。いくつかの実施形態では、光通信モジュール２００は、受信電気回路２２６及び送信電気回路２４６の性能を最適化するための制御回路を備えることが可能である。いくつかの実施形態では、光通信モジュール２００は、光通信モジュール２００に接続される各光ファイバ用の送信インタフェースチャネル、送信電気回路チャネル、受信インタフェースチャネル、及び受信電気回路チャネルを備えることが可能である。いくつかの実施形態では、光通信モジュール２００は、光通信モジュール２００に接続される各光ファイバ用の送信インタフェースチャネル及び送信電気回路チャネルのみを備えることが可能である。いくつかの実施形態では、光通信モジュール２００は、光通信モジュール２００に接続される各光ファイバ用の受信インタフェースチャネル及び受信電気回路チャネルのみを備えることが可能である。
【００２４】
図２は、２本の光ファイバを備えることが可能な光ファイバリボンケーブルの実施形態を示す。しかし、光ファイバリボンケーブル内の光ファイバの本数は、変更され得る。たとえば、光ファイバリボンケーブルは、１本、２本、４本、８本、１２本、１６本、又は任意の本数の光ファイバを備えていてもよい。様々な本数の光ファイバを有する光ファイバリボンケーブルのそれぞれに、適切な個数のチャネルを有する様々な光通信モジュールが用いられ得る。それぞれ異なる通信モジュールの製造に伴う様々な構成部品の数を減少させるために、特定の構成部品又は構成部品群は、モジュラ型に設計されることが可能であり、多重通信モジュールに用いられ得る。たとえば、いくつかの実施形態では、受信電気回路チャネル及び送信電気回路チャネルがモジュラ型に設計されてもよい。いくつかの実施形態では、受信チャネル及び送信チャネルがモジュラ型に設計されてもよい。いくつかの実施形態では、受信機及び送信チャネル、並びに受信電気回路及び送信電気回路チャネルがモジュラ型に設計されてもよい。
【００２５】
モジュラ型の構成部品群の一例として、シリコンの単一部品、単一のプリント回路基板（ＰＣＢ：ｐｒｉｎｔｅｄ  ｃｉｒｃｕｉｔ  ｂｏａｒｄ）、もしくはシリコンの単一部品又は単一のプリント回路基板に類似した構造を用いて構成されるモジュラ型装置上にグループ化される４個の受信電気回路チャネルが挙げられる。モジュラ型装置は、４本の光ファイバを有する光ファイバリボンケーブルに接続している光通信モジュールに用いられてもよく、８本、１２本、及び１６本の光ファイバを有する光ファイバリボンケーブルに接続している光通信モジュールに用いられてもよい。このモジュラ型装置を用いることによって、８個、１２個、及び１６個の受信電気回路チャネルを有する個々の装置が製造される必要がないため、製造工程の省略、並びに調査費及び開発費の低減の少なくともいずれか一つをもたらすとともに、場合によっては信頼性を向上させる。
【００２６】
図３は、４個の受信電気回路チャネルを有するモジュラ型装置を備える通信モジュールを示す。図４は、図３に示すような４個の受信電気回路チャネルを有するモジュラ型装置が多重の場合の通信モジュールを示す。多重受信電気回路チャネルのモジュラ型装置を有する光通信モジュールに関わる図３及び図４の例示並びに図３及び図４に関する説明について理解を容易にするために、光通信モジュール内の他の構成部品は、モジュラ型であってもよい。たとえば、いくつかの実施形態では、光通信モジュールは、多重送信電気回路チャネルのモジュラ型装置を備えていてもよい。いくつかの実施形態では、光通信モジュールは、多重送信電気回路チャネル及び多重受信電気回路チャネルのモジュラ群を備えていてもよい。いくつかの実施形態では、光通信モジュールは、多重送信機及び受信インタフェースチャネルのモジュラ型装置を備えていてもよく、もしくは光通信モジュールは、他の種類のチャネルのみを備えていてもよい。
【００２７】
特に、図３は、本明細書に記載する少なくともいくつかの実施形態に従って構成される光通信モジュール３００内の種々の構成部品の分解部品配列図を示す。光通信モジュール３００は、光−電気インタフェースとして構成され得る受信インタフェース配列３１０として共に配置される４個の受信インタフェースチャネル２１０を備えている。光通信モジュール３００は、受信電気回路配列３２０として共に配置される４個の受信電気回路チャネル２２０をさらに備えている。受信電気回路配列３２０は、本明細書に説明するモジュラ型装置の一例であってもよい。受信電気回路配列３２０は、モジュラ型であり、光通信モジュール３００内に配置され得る別体の構成部品であるため、受信電気回路配列３２０は、受信電気回路配列３２０の外周にシール３２８を備えることが可能である。シール３２８は、受信電気回路配列３２０が光通信モジュール３００内に配置される前後に、湿度劣化又はイオン汚染から受信電気回路配列３２０を保護するために用いられ得る。
【００２８】
図３は、光ファイバリボンケーブル３３０を詳細に示す。光ファイバリボンケーブルは、４本の光ファイバ３３４を備えている。光ファイバ３３４は、光ファイバ離間距離３３２だけ、光ファイバリボンケーブル３３０内において離間している。いくつかの実施形態では、光ファイバ離間距離３３２は、２５０μｍであってもよい。光ファイバリボンケーブル３３０内の各光ファイバ３３４は、単一の受信インタフェースチャネル２１０に接続されるように構成され得る。光ファイバ３３４を受信インタフェースチャネル２１０に接続するために、光ファイバ３３４を受信インタフェースチャネル２１０と整列させ得る。受信インタフェースチャネル２１０を光ファイバ３３４と整列させるために、受信インタフェースチャネル２１０は、それぞれ光ファイバ離間距離３３２に等しいか又はほぼ等しくすることが可能なチャネル幅３１２を有する。その結果、受信インタフェース配列３１０は、受信インタフェースチャネル２１０のチャネル幅３１２の４倍の長さに等しいか又はほぼ等しい全幅３１４を有することが可能である。
【００２９】
また、各受信インタフェースチャネル２１０は、受信電気回路配列３２０の単一の受信電気回路チャネル２２０に接続されるように構成され得る。受信電気回路チャネル２２０を受信インタフェースチャネル２１０に接続するために、受信電気回路チャネル２２０を受信インタフェースチャネル２１０と整列させ得る。
【００３０】
受信電気回路配列３２０がモジュラ型であって、図４に示す実施形態における光通信モジュールで用いられるために、受信電気回路配列３２０の幅３２４は、受信インタフェース配列３１０の全幅３１４に等しいか又はほぼ等しいか、もしくは受信インタフェース配列３１０の全幅３１４よりも短くされ得る。これを成し遂げるために、各受信電気回路チャネル２２０のチャネル幅３２２は、受信電気回路配列３２０の外周のシール３２８の幅３２９を補正するために各受信インタフェースチャネル２１０のチャネル幅３１２よりも短くされ得る。その結果、各受信電気回路チャネル２２０は、光ファイバ３３４の光ファイバ離間距離３３２よりも短い幅を有することが可能であり、４個の受信電気回路チャネル２２０の全幅３２６は、４個の受信インタフェースチャネル２１０の全幅３１４よりも短くされ得る。
【００３１】
いくつかの実施形態では、４個の受信インタフェースチャネル２１０及び４個の受信電気回路チャネル２２０は、それぞれ受信インタフェース配列３１０及び受信電気回路配列３２０とともに配置されていたとしても、それぞれ別体の集積回路であってもよい。そのため、いくつかの実施形態では、別体の集積回路としての４個の受信インタフェースチャネル２１０は、シリコンの単一面上に位置することが可能であり、別体の集積回路としての４個の受信電気回路チャネル２２０は、他のシリコンの単一面上に互いに位置することが可能である。さらに、いくつかの実施形態では、４個の受信インタフェースチャネル２１０は、受信インタフェース配列３１０を形成するために互いに隣接して配置される個別のダイスにそれぞれ位置し得る。また、４個の受信電気回路チャネル２２０は、受信電気回路配列３２０を形成するために互いに配置される個別のダイスにそれぞれ位置し得る。
【００３２】
図４は、本明細書に記載する少なくともいくつかの実施形態に従って構成される光通信モジュール４００内の種々の構成部品の分解部品配列図を示す。通信モジュール４００は、光−電気インタフェースとして構成され得る受信インタフェース配列４１０として共に配置される１２個の受信インタフェースチャネル２１０を備えている。光通信モジュール４００は、３個の受信電気回路配列３２０をさらに備えている。３個の受信電気回路配列３２０が並んで配置されるため、各受信電気回路配列３２０は、受信インタフェース配列４１０内の４個の受信インタフェースチャネル２１０に接続されるように整列される。受信電気回路配列３２０内の受信電気回路チャネル２２０が受信インタフェースチャネル２１０の幅に等しい幅又はほぼ等しい幅を有する場合、３個の受信電気回路配列３２０のうち１個の受信電気回路チャネル２２０は、受信インタフェース配列４１０内の受信インタフェースチャネル２１０と整列する。残りの２個の受信電気回路配列３２０内の受信電気回路チャネル２２０は、受信電気回路配列３２０の外周のシール３２８のために、受信インタフェースチャネル２１０とは整列されない。受信電気回路配列３２０内の個々の受信電気回路チャネル２２０の幅を減少させることによって、シール３２８及び受信電気回路チャネル２２０を備える受信電気回路配列３２０の全幅は、４個の受信インタフェースチャネル２１０のチャネル幅３１２に等しいか又はほぼ等しい。また、３個の受信電気回路配列３２０内のすべての受信電気回路チャネル２２０は、受信インタフェース配列４１０内の受信インタフェースチャネル２１０と整列する。
【００３３】
受信電気回路チャネルのような、モジュラ型装置内の電気回路チャネルの個数は、図３及び図４における説明又は例示の個数から変更することが可能であり、任意の個数のチャネルを備えることが可能である。代替的又は付加的に、光通信モジュールに用いられるモジュラ型装置の個数は、モジュラ型装置内の電気回路チャネルの個数、及び光通信モジュール内のインタフェースチャネルの個数に従うことが可能である。光通信モジュール内に用いられるモジュラ型装置の個数は、以下の事項に従って決定され得る。Ｃが光通信モジュール内のモジュラ型装置の個数であり、Ｐが光通信モジュール内の光−電気インタフェース内のインタフェースチャネルの個数であり、Ｎがモジュラ型装置内の電気回路チャネルの個数である場合に、Ｃ＝Ｐ／Ｎである。たとえば、Ｎ＝４かつＰ＝１６の場合には、Ｃ＝４である。他の例として、Ｎ＝２かつＰ＝１０の場合には、Ｃ＝５である。その他の例として、数ある組み合わせの中において特に、Ｎ＝４の場合には、Ｃ＝２かつＰ＝８，Ｃ＝３かつＰ＝１２，もしくはＣ＝４かつＰ＝１６である。これらの種々の実施形態における電気回路チャネルとインタフェースチャネルとの間の整列を維持するために、モジュラ型装置のシールを含むモジュラ型装置の幅は、先に説明したように、Ｎ個のインタフェースチャネルの幅に等しいか又はほぼ等しくされ得る。
【００３４】
いくつかの実施形態では、モジュラ型装置は、モジュラ型装置の性能を最適化するための制御回路を備えることが可能である。また、モジュラ型装置は、直列周辺装置インタフェースバスのような、制御回路との相互の通信を可能にするためのインタフェースバスを備えることが可能である。いくつかの実施形態では、光通信モジュール内の種々のモジュラ型装置の複数のインタフェースバスは、モジュラ型装置間の情報を伝達するためのデイジーチェイン内に互いに接続され得る。この構成では、１個のモジュラ型装置は、相互接続したインタフェースバスの親装置として作用することが可能であり、残りのモジュラ型装置は、スレーブとして作用することが可能である。
【００３５】
親装置として作用するモジュラ型装置は、メモリ装置に接続され得るとともに、メモリ装置にアクセスすることが可能である。また、親装置のモジュラ型装置は、メモリ装置への情報、及びメモリ装置からスレーブのモジュラ型装置への情報を伝達することが可能である。メモリ装置は、起動中の光通信モジュール内のすべてのモジュラ型装置又はいくつかのモジュラ型装置によって利用され、かつモジュラ型装置内の電気回路チャネルの性能を最適化するために利用される情報を含むことが可能である。代替的又は付加的に、メモリ装置は、モジュラ型装置についての情報を蓄積するために用いられ得る。代替的又は付加的に、メモリ装置は、一つ又は複数のモジュラ型装置によって生成される情報を蓄積するために用いられ得る。
【００３６】
デイジーチェインの構成を用いることによって、光通信モジュール内の各モジュラ型装置用のメモリ装置が用いられなくてもよい。さらに、デイジーチェインの構成を用いることによって、各モジュラ型装置をメモリ装置に接続することに伴うリード線の本数を減少させることが可能である。付加的に、デイジーチェインの構成を用いることによって、各モジュラ型装置が類似のポートを有することを可能にし、それにより複数のモジュラ型装置をモジュラ型にすることを容易にする。
【００３７】
いくつかの実施形態では、光通信モジュール内の各モジュラ型装置の位置に関する情報が望ましい場合がある。各モジュラ型装置を自己識別可能にするために、各モジュラ型装置は、零のデジタルレベル又は１のデジタルレベルで保持される１個又は複数のボンドパッドをさらに備えることが可能である。ボンドパッドのデジタルレベルは、コントローラが光通信モジュール内の各モジュラ型装置の位置を識別することを可能にするように、コントローラに伝達され得る。
【００３８】
たとえば、光通信モジュール内に互いに接続される４個のモジュラ型装置とともに、各モジュラ型装置は、２個のボンドパッドを備えることが可能である。第一モジュラ型装置は、零のデジタルレベルで保持されるボンドパッドの両方を有することが可能である。第二モジュラ型装置は、零のデジタルレベルで保持される第一ボンドパッド、及び１のデジタルレベルで保持される第二ボンドパッドを有することが可能である。第三モジュラ型装置は、１のデジタルレベルで保持される第一ボンドパッド、及び零のデジタルレベルで保持される第二ボンドパッドを有することが可能である。第四モジュラ型装置は、１のデジタルレベルで保持されるボンドパッドの両方を有することが可能である。
【００３９】
図５は、本明細書に記載する少なくともいくつかの実施形態に従って構成されるモジュラ型装置を備える光通信モジュールの例示的な製造方法５００のフローチャートを示す。方法５００は、個別の複数のブロックに示すが、種々のブロックは、所望の実施状況に従って、追加のブロックに分割されてもよく、より少ないブロックに結合されてもよい。
【００４０】
方法５００は、Ｃ個のモジュラ型装置が形成され得るブロック５０２から開始することが可能である。Ｃ個のモジュラ型装置のそれぞれは、第一端及び第二端を備えることが可能である。また、Ｃ個のモジュラ型装置のそれぞれは、第一端と第二端との間にＮ個の電気回路チャネルを備えることも可能である。各電気回路チャネルは、光伝送媒体を介して光信号を伝達するための機能性を提供するように構成される少なくとも一つの構成要素を備えることが可能である。いくつかの実施形態では、モジュラ型装置は、２個、３個、４個、５個、６個、又はそれ以上の電気回路チャネルを備えることが可能である。
【００４１】
いくつかの実施形態では、電気回路チャネルは、光信号を受信するための機能性を提供するように構成され得る。これらの実施形態及び他の実施形態では、電気回路チャネル内の少なくとも一つの構成要素は、トランスインピーダンスアンプを備えることが可能である。
【００４２】
いくつかの実施形態では、電気回路チャネルは、光信号を送信するための機能性を提供するように構成され得る。これらの実施形態及び他の実施形態では、電気回路チャネル内の少なくとも一つの構成要素は、ＶＣＳＥＬレーザドライバのようなレーザドライバを備えることが可能である。
【００４３】
ブロック５０４において、Ｐ個のインタフェースチャネルを備え、光伝送媒体に接続されるように構成される光−電気インタフェースに、Ｃ個のモジュラ型装置が接続され得る。Ｃ＝Ｐ／Ｎであり、Ｃが整数である場合に、Ｃ個のモジュラ型装置におけるＮ個の電気回路チャネルのそれぞれは、Ｐ個のインタフェースチャネルのうち１個と整列することが可能である。
【００４４】
いくつかの実施形態では、光伝送媒体は、光ケーブルリボンであってもよい。いくつかの実施形態では、インタフェースチャネルは、フォトダイオードを備えることが可能である。代替的又は付加的に、インタフェースチャネルは、ＶＣＳＥＬレーザダイオードのようなレーザダイオードを備えることが可能である。
【００４５】
いくつかの実施形態では、Ｎ＝４の場合に、Ｃ＝２であってもよく、Ｐ＝８であってもよい。代替的に、Ｃ＝３であってもよく、Ｐ＝１２であってもよい。代替的に、Ｃ＝４であってもよく、Ｐ＝１６であってもよい。
【００４６】
当業者は、本明細書に開示する本工程及び他の工程、並びに本方法及び他の方法について、それらの工程及び方法で実行される機能が異なる順序で実施されてもよいことを理解する。さらに、概略的な手順及び作業は、例として提示するのみであり、いくつかの手順及び作業は、任意であってもよく、開示する実施形態の本質から逸脱することなしに、より少ない手順及び作業に結合されてもよく、もしくは追加の手順及び作業に拡張されてもよい。
【００４７】
たとえば、方法５００は、Ｃ個のモジュラ型装置のそれぞれに対して、Ｎ個の電気回路チャネルの外周のシールリングを形成する工程をさらに含むことが可能である。いくつかの実施形態では、Ｎ個の電気回路チャネル及びシールリングを含む第一端と第二端との間のモジュラ型装置の幅は、Ｐ＝Ｎの場合に光−電気インタフェースの幅に等しいか又はほぼ等しくされ得る。
【００４８】
方法５００は、Ｃ個のモジュラ型装置のうち１個の第一端がＣ個のモジュラ型装置のうち別の１個の第二端に隣接するように、Ｃが１より大きい場合にＣ個のモジュラ型装置を整列する工程をさらに含むことが可能である。
【００４９】
すべての例及び本明細書に記載する条件を表す用語は、当該技術分野を促進するために発明者によって寄与された発明及び思想について、読者の理解を補助するために、教育学的な物体を対象としている。また、すべての例及び本明細書に記載した条件を表す用語は、このような具体的に記載する例及び条件に限定されるものではないと解釈される。本発明の実施形態では詳細に記載しているが、本発明の思想及び範囲から逸脱することなく、種々の変化、置換、及び変更が本明細書になされ得ることが理解されるべきである。
【図１】
2015508585.tif 000003
【図２】
2015508585.tif 000004
【図３】
2015508585.tif 000005
【図４】
2015508585.tif 000006
【図５】
2015508585.tif 000007
【国際調査報告】
2015508585.tif 000008
2015508585.tif 000009